(57)【特許請求の範囲】
【請求項１】
カメラ本体と、
正転、逆転自在な電動モータと、
カメラ本体に対し繰出し、沈胴が自在であって、少なくとも繰出状態において外部に露出する部分に配設された、繰出し、沈胴に伴って回転する部材を有するレンズ鏡胴と、
前記電動モータの正転および逆転のうちの一方向の回転を前記レンズ鏡胴に伝達し、該一方向の回転により、前記レンズ鏡胴を沈胴状態と繰出状態との間で往復移動させるレンズ鏡胴駆動機構を含む、前記電動モータの正転と逆転に応じてそれぞれ駆動される複数の機構と、
前記電動モータの回転を、その回転方向に応じて、レンズ鏡胴駆動機構と、前記複数の機構のうちのレンズ鏡胴機構を除く別の機構とに伝達する遊星機構と、
前記レンズ鏡胴あるいは前記レンズ鏡胴駆動機構を構成する、前記電動モータの回転が伝達されて回転する回転伝達部材に、係合離脱自在に係合して、前記レンズ鏡胴の移動を阻止する、前記電動モータが前記レンズ鏡胴駆動機構を駆動している間は前記回転伝達部材との係合が外れた状態を保つとともに、前記電動モータが停止している間および前記電動モータが前記別の機構を駆動している間は前記回転伝達部材に係合した状態を保つ係止ロック機構とを備えたことを特徴とするカメラ。
【請求項２】
前記回転伝達部材が、前記レンズ鏡胴を構成する部材であることを特徴とする請求項１記載のカメラ。
【請求項３】
前記係止ロック機構が、前記回転伝達部材に係合するロック爪と、該ロック爪を、前記回転伝達部材と係合した係合位置と、前記回転伝達部材との係合が外れた離脱位置との間で移動させる電磁石とを備えたものであることを特徴とする請求項１記載のカメラ。
【請求項４】
前記ロック爪が、前記回転伝達部材と係合する方向にバネ付勢されたものであって、前記電磁石が、通電により、前記ロック爪を、バネ付勢に抗して前記回転伝達部材との係合が外れる方向に移動させるものであることを特徴とする請求項３記載のカメラ。
【請求項５】
このカメラが、インスタント写真用の複数枚のフイルムが枠体内に積層されてなるインスタント写真用のフイルムパックが装填され、該枠体内に積層されたフイルムのうちの最上層のフイルムを露光し、露光されたフイルムを、該フイルム内に現像液を展開しながら排出するインスタント写真用のカメラであって、
前記複数の機構のうちの前記レンズ鏡胴駆動機構を除く別の機構が、露光済フイルム内に現像液を展開しながら該露光済フイルムをカメラ外部に排出するフイルム展開排出機構であることを特徴とする請求項１記載のカメラ。
【発明の詳細な説明】
【０００１】
【発明の属する技術分野】
本発明は、レンズ鏡胴を繰出し、沈胴させるレンズ鏡胴駆動機構を含む、正転、逆転自在な電動モータにより駆動される複数の機構を有するカメラに関する。
【０００２】
【従来の技術】
従来、カメラには、例えばレンズ鏡胴の繰出し、沈胴機構、ピント調節機構、フイルム給送機構、インスタント写真用カメラにおけるフイルム展開排出機構など、様々な機構を備えたものが知られており、それらの機構を内蔵したカメラの中には、さらに電動モータを内蔵して、その電動モータによりそれらの機構を駆動するように構成されたものもある。
【０００３】
ここで、そのような電動モータを備えたカメラにおいて、電動モータの数を減らすために、１つの電動モータの回転方向を切り替えることによって、それぞれ別々の機構を駆動するという思想が従来から知られている。例えば、実用新案登録第１８６９８０１号公報によれば、１個の電動モータを使用し、その電動モータの、ある一方向への回転によって鏡胴の広角・望遠切替駆動を行ない、他方向への回転によって他の機構、例えばフイルム給送機構あるいはシャッタセット機構等を駆動する技術が開示されている。また、特開平９−２３６８５４号公報には、１個の電動モータをある一方向に回転させることによってフイルム給送、巻上げ、および巻戻しを行ない、他方向に回転させることによって、それとは異なる機構を動作させる技術が開示されている。
【０００４】
【発明が解決しようとする課題】
上記の公報に開示された思想は、いずれも、１個の電動モータの回転方向に応じて異なる機構を駆動するというものであるが、１個の電動モータのある回転方向でレンズ機構を駆動する、あるいはフイルム給送等の機構を駆動する、というように、駆動の対象を提案しているにとどまっており、その切替駆動機構を具体的に実施する場合における問題の解決については、何らの示唆を与えるものではない。
【０００５】
例えば電動モータの正転と逆転とでそれぞれ別々の機構を駆動する場合、それらの機構の間に電動モータの回転駆動力の伝達を切り換える遊星機構が配置されるのが一般的であり、また、レンズ鏡胴の繰出し、沈胴の方式によっては、回転を伴って繰出し、沈胴を行なう回転移動筒を備えたものがあるが、そのような回転移動筒をもつレンズ鏡胴を備え、１つの電動モータの正転でそのレンズ鏡胴を駆動し逆転で別の機構が駆動されるように遊星機構を配置した場合、電動モータが正転してレンズ鏡胴が繰り出された後、その電動モータが逆転すると、レンズ鏡胴が繰り出されたままの状態で遊星機構とレンズ鏡胴を駆動する機構との間の係合が外れた状態となり、回転移動筒に手指が触れただけで回転し、レンズ鏡胴の繰出し位置が正しい位置から外れ、焦点の合わない撮影が成されるおそれがあるという問題がある。
【０００６】
また、電動モータが正転してレンズ鏡胴が繰り出された後、その電動モータが逆転せずに停止したままであっても同様であり、その電動モータが逆転する方向に回転駆動筒に外力が加えられると、遊星機構とレンズ鏡胴を駆動する機構との間の係合が比較的容易に外れてしまい、その後は、電動モータが逆転した場合と同様の問題を生じることになる。
【０００７】
本発明は、上記事情に鑑み、レンズ鏡胴の繰出し位置が正しい位置から不用意に外れてしまうことが防止されたカメラを提供することを目的とする。
【０００８】
【課題を解決するための手段】
上記目的を達成する本発明のカメラは、
カメラ本体と、
正転、逆転自在な電動モータと、
カメラ本体に対し繰出し、沈胴が自在であって、少なくとも繰出状態において外部に露出する部分に配設された、繰出し、沈胴に伴って回転する部材を有するレンズ鏡胴と、
電動モータの正転および逆転のうちの一方向の回転をレンズ鏡胴に伝達し、その一方向の回転により、レンズ鏡胴を沈胴状態と繰出状態との間で往復移動させるレンズ鏡胴駆動機構を含む、電動モータの正転と逆転に応じてそれぞれ駆動される複数の機構と、
電動モータの回転を、その回転方向に応じて、レンズ鏡胴駆動機構と、上記複数の機構のうちのレンズ鏡胴機構を除く別の機構とに伝達する遊星機構と、
レンズ鏡胴あるいはレンズ鏡胴駆動機構を構成する、電動モータの回転が伝達されて回転する回転伝達部材に、係合離脱自在に係合して、レンズ鏡胴の移動を阻止する係止ロック機構とを備えたことを特徴とする。
【０００９】
本発明のカメラは、上記の係止ロック機構を備えたため、上記の、繰出し、沈胴に伴って回転する部材に回転方向に力が加わっても回転せず、したがってレンズ鏡胴の繰り出し位置が正しい位置から不用意に外れてしまうことが防止される。
【００１０】
ここで、上記本発明のカメラにおいて、上記回転伝達部材が、レンズ鏡胴を構成する部材であることが好ましい。
【００１１】
本発明にいう係止ロック機構により回転が阻止される回転伝達部材は、レンズ鏡胴駆動機構を構成する部材であってもよいが、その場合、ギア等のガタつきの分は、レンズ鏡胴が多少動いてしまう可能性がある。これに対して、係止ロック機構により回転が阻止される回転伝達部材がレンズ鏡胴を構成する部材である場合、そのレンズ鏡胴の移動が直接的に阻止されることとなり、ガタつきの少ない一層確実な動き防止が図られる。
【００１２】
また、上記本発明のカメラにおいて、係止ロック機構が、電動モータがレンズ鏡胴駆動機構を駆動している間は回転伝達部材との係合が外れた状態を保つとともに、電動モータが停止している間および電動モータが上記別の機構を駆動している間は回転伝達部材に係合した状態を保つものであることが好ましい。
【００１３】
係止ロック機構を作動させるにあたり、電動モータから駆動力を得、電動モータがレンズ鏡胴駆動機構とは別の機構を駆動する逆転の際は回転伝達部材に係合して回転伝達部材の回転を阻止し、電動モータがレンズ鏡胴駆動機構を駆動する正転の際は係合が外れレンズ鏡胴が駆動されるように構成してもよいが、その場合、電動モータが正転した後逆転せずにそのまま停止状態にあるときは係止ロック機構と回転伝達部材との係合が外れたままとなる。
【００１４】
その場合であってもレンズ鏡胴はレンズ鏡胴駆動機構を介して電動モータと一応は連結された状態にあるため、電動モータが逆転した状態と比べるとレンズ鏡胴の繰出し位置は正しい位置に比較的保たれやすいものの、レンズ鏡胴の繰出し位置を正しい位置に確実に保持するには不安定さが残ることとなる。そこで上記のように、電動モータがレンズ鏡胴駆動機構を駆動している間だけ係止ロック部材と回転伝達部材との係合が外れた状態に保ち、それ以外の間、すなわち電動モータが別の機構を駆動している間および電動モータが停止している間は全て係止ロック機構と回転制御部材とを係合した状態に保つことにより、レンズ鏡胴の繰出し位置が確実に正しい位置に保たれることになる。
【００１５】
さらに、上記本発明のカメラにおいて、上記係止ロック機構が、回転伝達部材に係合するロック爪と、そのロック爪を、回転伝達部材と係合した係合位置と、回転伝達部材との係合が外れた離脱位置との間で移動させる電磁石とを備えたものであることが好ましく、その場合にさらに、そのロック爪が、回転伝達部材と係合する方向にバネ付勢されたものであって、電磁石が、通電により、ロック爪を、バネ付勢に抗して回転伝達部材との係合が外れる方向に移動させるものであることが好ましい。
【００１６】
係止ロック機構をロック爪とそのロック爪を移動させる電磁石を備えた機構とすると、比較的簡単な構成で済み、かつ小型化が図れるとともに、電動モータの回転とは独立に必要なタイミングでロック爪を回転伝達部材に係合させ、あるいはロック爪を回転制御部材との係合から外れた状態に移動させることができる。この場合において、ロック爪が係合方向にバネ付勢され、電磁石が通電によりロック爪と係合が外れる方向に移動させるように構成することにより、レンズ鏡胴を移動させる必要のある比較的短かい時間だけ電磁石に通電すればよく、電力消費が抑えられる。
【００１７】
さらに、上記本発明のカメラにおいて、このカメラが、インスタント写真用の複数枚のフイルムが枠体内に積層されてなるインスタント写真用のフイルムパックが装填され、その枠体内に積層されたフイルムのうちの最上層のフイルムを露光し、その露光されたフイルムを、そのフイルム内に現像液を展開しながら排出するインスタント写真用のカメラであって、
上記複数の機構のうちのレンズ鏡胴駆動機構を除く別の機構が、露光済フイルム内に現像液を展開しながらその露光済フイルムをカメラ外部に排出するフイルム展開排出機構であってもよい。
【００１８】
本発明は、１つの電動モータの回転方向に応じて、レンズ鏡胴駆動機構あるいはフイルム展開排出機構を駆動するインスタント写真用カメラに好適に適用することができる。
【００１９】
【発明の実施の形態】
以下、本発明の実施形態について説明する。
【００２０】
図１は、本発明の第１実施形態のカメラを示す正面図である。
【００２１】
このカメラ５０は、インスタント写真用の複数枚のフイルムが枠体内に積層されてなるインスタント写真用のフイルムパックが装填され、その枠体内に積層されたフイルムのうちの最上層のフイルムを露光し、その露光されたフイルムを、その露光されたフイルム内に現像液を展開しながらカメラ外部に排出するタイプのインスタント写真用カメラである。
【００２２】
このカメラ５０は、図１に示すように、シャッタボタン５３等を有するカメラ本体５１を備えており、そのカメラ本体５１前面にはレンズ鏡胴５２が取り付けられている。このカメラ本体５１には、正転、逆転自在に回転する電動モータ５４が内蔵されている。
【００２３】
また、このカメラ５０の上部には、露光済フイルムが、そのフイルム内に現像液が展開されながらカメラ５０内部から外部に排出されるフイルム排出口（図示せず）が形成されている。
【００２４】
図２は、図１に示すカメラのレンズ鏡胴が沈胴状態にあるときの、そのレンズ鏡胴の光軸方向の縦断面図、図３は、そのレンズ鏡胴が繰出状態にあるときの、そのレンズ鏡胴の光軸方向の縦断面図である。
【００２５】
レンズ鏡胴５２は、主な構成要素として、図２に示すように、レンズシャッター組６が内蔵された直進移動筒５、沈胴状態においてその直進移動筒５を収納する回転移動筒３、さらに沈胴駆動リング２、固定カム筒１等を備えている。固定カム筒１はカメラ本体５１（図１参照）に取り付け固定されており、この固定カム筒１の内壁面にはカム溝１ａと、光軸方向に延びる３つのキー溝１ｂが形成されている（図２、図３には、３つのキー溝１ｂのうちの１つのキー溝１ｂのみが示されている）。カム溝１ａの詳しい形状については後述する。また、このレンズ鏡胴５２は鏡胴カバー１０で覆われた沈胴駆動リング２を備えている。この沈胴駆動リング２は、固定カム筒１の外壁を取り巻く位置に、光軸方向には移動せず、かつ光軸を中心として回転自在に取り付けられている。この沈胴駆動リング２の外壁後端部には、カメラ本体５１内部に配置された電動モータ５４（図１参照）の駆動力が伝達される駆動ギア２ａが形成されている。その電動モータ５４の駆動力が沈胴駆動リング２の駆動ギア２ａに伝達されると、その沈胴駆動リング２は光軸を中心として回転する。また、この沈胴駆動リング２の内壁面には、光軸方向に延びる３つの駆動溝２ｂが形成されており（図２、図３には、３つの駆動溝２ｂのうちの１つの駆動溝２ｂのみが示されている）、これら３つの駆動溝２ｂは、光軸を中心として１２０度間隔で設けられている。回転移動筒３の後部外壁には、沈胴駆動リング２の駆動溝２ｂに摺動自在に係合する３本の連結ピン３ａと、固定カム筒１のカム溝１ａに摺動自在に係合する３本のカムピン３ｂとが設けられている（図２、図３には、３本のカムピン３ｂのうちの１本のカムピン３ｂのみが示され、３本の連結ピン３ａのうちの１本の連結ピン３ａのみが示されている）。３本の連結ピン３ａは、光軸を中心として１２０度間隔で設けられており、３本のカムピン３ｂも、光軸を中心として１２０度間隔で設けられている。また、回転移動筒３の内壁面にはカム溝３ｃが形成されている。このカム溝３ｃの詳しい形状については後述する。さらに、回転移動筒３内には、直進キーリング４が、その回転移動筒３に対し光軸方向の移動が禁止された状態で配置されている。その直進キーリング４の後端外壁には３つのキーピン４ａが設けられており（図２、図３には、３つのキーピン４ａのうちの１つのキーピン４ａのみが示されている）、これら３つのキーピン４ａは、それぞれ固定カム筒１の３つのキー溝１ｂそれぞれに摺動自在に係合している。尚、固定カム筒１のカム溝１ａとキー溝１ｂ、沈胴駆動リング２の駆動溝２ｂ、回転移動筒３の連結ピン３ａとカムピン３ｂ、および直進キーリング４のキーピン４ａは、回転移動筒３および直進キーリング４の繰出し、沈胴を行なうためのカム機構を構成している。回転移動筒３および直進キーリング４の繰出し、沈胴の様子については後述する。
【００２６】
直進移動筒５内には、レンズカバーを開閉するためのレンズカバー開閉部材８が固定されており、そのレンズカバー開閉部材８の後端部には、直進キーリング４の直進ガイド溝４ｂに入り込むガイドピン８ａが設けられている。また、この直進移動筒５の後端外周部には、直進キーリング４を貫通して回転移動筒３のカム溝３ｃに摺動自在に係合する３本のカムピン５ａが設けられている（図２、図３には、３本のカムピン５ａのうちの１本のカムピン５ａのみが示されている）。これら３本のカムピン５ａは、光軸を中心とした円周方向に１２０度間隔で設けられている。直進移動筒５のカムピン５ａ、レンズカバー開閉部材８のガイドピン８ａ、回転移動筒３のカム溝３ｃ、および直進キーリング４の直進ガイド溝４ｂは、直進移動筒５を光軸方向に直進的に繰出し、沈胴させるカム機構を構成している。
【００２７】
以下に、沈胴駆動リング２が回転することにより、回転移動筒３および直進移動筒５が、光軸方向に繰出し、沈胴するときの様子について、図４、図５を参照しながら説明する。
【００２８】
図４は、固定カム筒および回転移動筒それぞれの内壁面を光軸方向に垂直な方向に展開して示した図である。ただし横軸は、内壁面の実寸比ではなく、光軸まわりの角度を示している。
【００２９】
回転移動筒３には、直進移動筒５の３本のカムピン５ａ（例えば図３参照）が係合するカム溝３ｃが形成されている。このカム溝３ｃは、撮影光軸を一周し一周の間に光軸方向への前進と後退を三回繰り返す無端状のカム溝であり、このカム溝３ｃは、光軸方向前方を経由する部分に２つの段３ｄを有する。
【００３０】
一方、固定カム筒１には、回転移動筒３の３本のカムピン３ｂ（例えば図３参照）が係合するカム溝１ａが形成されている。このカム溝１ａは、撮影光軸を一周し一周の間に光軸方向に前進と後退を三回繰り返す無端状のカム溝であり、このカム溝１ａは、回転移動筒３のカム溝３ｃの２つの段３ｄ全域に対応する部分に、光軸方向に垂直な方向に延びる平坦部１ｃを有する。また、この固定カム筒１の、カム溝１ａが有する平坦部１ｃ後方には、光軸方向に延びるキー溝１ｂが形成されている。
【００３１】
ここで、一旦、鏡胴の位置検出方法について説明し、その後、繰出し、沈胴動作の説明に戻る。
【００３２】
図５は、沈胴駆動リングおよび鏡胴位置検出スイッチの正面図である。
【００３３】
沈胴駆動リング２の外壁後端部には駆動ギア２ａが形成されており、外壁前側面全周にわたってカム面２ｃが形成されている。このカム面２ｃは、回転移動筒３と直進移動筒５との双方の筒の、繰出状態と、沈胴状態と、これら繰出状態と沈胴状態との中間的な状態とに応じて異なる高さに形成されている。つまり、カム面２ｃは、繰出状態に対応した領域Ａ、沈胴状態に対応した領域Ｃ、繰出状態と沈胴状態との中間的な状態に対応した領域Ｂを有する。ここでは、直進移動筒５の繰出状態には、繰出量が異なる第１の繰出位置および第２の繰出位置があり、カム面２ｃの、繰出状態に対応した領域Ａは、この繰出量が異なる２つの位置に応じてさらに異なる高さに形成された、第１の繰出位置に対応した領域Ａ１と、第２の繰出位置に対応した領域Ａ２とを有する。従って、カム面２ｃは、互いに異なる高さに形成された４つの領域Ａ１，Ａ２，Ｂ，Ｃを有する。これら４つの領域Ａ１，Ａ２，Ｂ，Ｃは、カム面２ｃの、光軸の周回方向に３分割された領域それぞれに形成されている。鏡胴位置検出スイッチ２１２はこのカム面２ｃに接触しており、沈胴駆動リング２が回転することにより、カム面２ｃの、鏡胴位置検出スイッチ２１２のレバー２１２ａと接触する部分の高さが変化し、そのレバー２１２ａが矢印Ｙ方向に回動する。このとき、その鏡胴位置検出スイッチ２１２の接点の状態が変化し、その接点の状態により、その鏡胴位置検出スイッチ２１２のレバー２１２ａが、カム面２ｃの、異なる高さに形成された領域Ａ１，Ａ２，Ｂ，Ｃのうちのどの領域に接触しているかが検出され、回転移動筒３および直進移動筒５の状態およびピント位置が認識される。
【００３４】
図４において、回転移動筒３の３本のカムピン３ｂ（例えば図２参照）が、それぞれ、固定カム筒１のカム溝１ａの３つの沈胴位置Ａそれぞれに位置し、直進移動筒５の３つのカムピン５ａ（例えば図２参照）が、それぞれ回転移動筒３のカム溝３ｃの３つの沈胴位置Ｄそれぞれに位置するときは、回転移動筒３および直進移動筒５は固定カム筒１内に沈胴している（図２参照）。このとき、鏡胴位置検出スイッチ２１２のレバー２１２ａは、図５に示すように、沈胴駆動リング２のカム面２ｃの、高さが一番低い部分Ａに接触している。ここで、カメラ本体５１の電源をオンにすると、電動モータ５４が正転し、沈胴駆動リング２が光軸を中心として矢印Ｐ方向（図４参照）に回転する。このとき、回転移動筒３の連結ピン３ａが沈胴駆動リング２の駆動溝２ｂ（例えば図２参照）に係合していることからその連結ピン３ａを介して回転移動筒３も光軸を中心として回転する。ここで、その回転移動筒３の３本のカムピン３ｂが固定カム筒１のカム溝１ａに係合していることから、それら３本のカムピン３ｂは、そのカム溝１ａに案内されて、沈胴位置Ａから、その回転移動筒３の繰出量を最大の繰出量に規定する第１の繰出位置Ｂに向かって移動し、回転移動筒３が繰り出される。このとき、直進キーリング４は、キーピン４ａが固定カム筒１のキー溝１ｂに係合していることから、回転移動筒３が回転しながら繰り出されるのに伴って直進的に繰り出される。また、直進移動筒５のカムピン５ａが回転移動筒３のカム溝３ｃに係合しており、その直進移動筒５内に配置されたレンズカバー開閉部材８のガイドピン８ａ（例えば図２参照）が直進キーリング４の直進ガイド溝４ｂに入り込んでいることから、その直進移動筒５のカムピン５ａは、回転移動筒３のカムピン３ｂが沈胴位置Ａから第１の繰出位置Ｂに向かって移動するに伴って、沈胴位置Ｄから第１の繰出位置Ｅに向かって移動し、直進移動筒５が直進的に繰り出される。回転移動筒３の３本のカムピン３ｂ、および直進移動筒５の３本のカムピン５ａが、それぞれ、第１の繰出位置Ｂ、Ｅに向かって移動しているときは、鏡胴位置検出スイッチ２１２のレバー２１２ａは、沈胴駆動リング２のカム面２ｃの、互いに高さの異なる部分Ａ１，Ａ２，Ｂ，Ｃのうちの部分Ｂと摺動している。
【００３５】
本実施形態では電源をオンにしたときのレンズシャッター組の焦点位置の初期設定として、近距離撮影用の位置が選択されており、沈胴駆動リング２の回転により、レバー２１２ａが沈胴駆動リング２のカム面２ｃの、第１の繰出位置に対応した部分Ａ１と接触したときに、電動モータ５４の回転が停止し、沈胴駆動リング２が停止する。このとき、回転移動筒３のカムピン３ｂ、および直進移動筒５のカムピン５ａが、それぞれ、第１の繰出位置Ｂ、Ｅで停止し、回転移動筒３および直進移動筒５の繰出しが停止する。回転移動筒３のカムピン３ｂ、および直進移動筒５のカムピン５ａが、それぞれ、第１の繰出位置Ｂ、Ｅで停止することにより、レンズシャッター組の焦点は近距離撮影用の位置にセットされる。
【００３６】
ここで、図示しない所定の遠近切替用操作スイッチを操作して、レンズシャッター組の焦点位置として遠距離撮影用の位置が選択された場合、電動モータ５４はもう一度正転し、レバー２１２ａが、沈胴駆動リング２のカム面２ｃの、第２の繰出位置に対応した部分Ａ２と接触したときに、電動モータ５４の回転が停止し、沈胴駆動リング２が停止する。このとき、回転移動筒３のカムピン３ｂが、第１の繰出位置Ｂと同一の繰出量の第２の繰出位置Ｃで停止するとともに、直進移動筒５のカムピン５ａが、第１の繰出位置Ｅよりも直進移動筒５の繰出量をわずかに小さい繰出量に規定する第２の繰出位置Ｆで停止する。直進移動筒５のカムピン５ａが第２の繰出位置Ｆで停止することにより、レンズシャッター組の焦点は遠距離撮影用の位置にセットされる。このように、このカメラ５０は、近距離撮影および遠距離撮影に応じて、直進移動筒５の繰出量を２段階に変化させることにより、レンズシャッター組の焦点の位置調整を行なっている。カメラの電源がオフに操作されると、電源が実際にオフになる前に、電動モータ５４がもう一度正転して沈胴駆動リング２がさらにＰ方向に回転し、回転移動筒３のカムピン３ｂは、第１の繰出位置Ｂもしくは第２の繰出位置Ｃから沈胴位置Ａに向かって移動するとともに、直進移動筒５のカムピン５ａが、第１の繰出位置Ｅもしくは第２の繰出位置Ｆから沈胴位置Ｄに向かって移動する。このとき、鏡胴位置検出スイッチ２１２のレバー２１２ａは、図５に示す、沈胴駆動リング２のカム面２ｃの、繰出状態と沈胴状態との中間的な状態に対応した部分Ｂと摺動している。沈胴駆動リング２がさらに回転することにより、レバー２１２ａがカム面２ｃの、沈胴状態に対応した部分Ｃに接触すると、電動モータ５４の回転が停止し、沈胴駆動リング２が停止する。このとき、回転移動筒３のカムピン３ｂ、および直進移動筒５のカムピン５ａは、それぞれ沈胴位置Ａ、Ｄに到達し、回転移動筒３および直進移動筒５の沈胴が完了する。
【００３７】
尚、レンズシャッター組の焦点が遠距離撮影用の位置にセットされている状態で遠近切替用操作スイッチを操作し、近距離が選択された場合、電動モータ５４が正転し、回転移動筒３および直進移動筒５は、一旦沈胴状態を経由して再度繰り出され、近距離撮影用の繰出し位置にセットされる。
【００３８】
直進移動筒５の、レンズシャッター組６の前面には、レンズカバー組７が開閉自在に取り付けられており、そのレンズカバー組７のさらに前面には、開口部９ａを有する飾銘板９が取り付けられている。レンズカバー組７は、直進移動筒５が繰り出されたときに開き、直進移動筒５が沈胴したときに閉じるように、レンズカバー開閉部材８で制御されている。
【００３９】
上記のように、このカメラ５０は、電動モータ５４を正転させることのみで、回転移動筒３および直進移動筒５の繰出し、沈胴を行うとともに、焦点調節も行なっている。また、このカメラ５０は、電動モータ５４の正転、逆転に応じてその電動モータ５４の駆動力の伝達先を切り替える遊星機構（後述する）を備えている。このカメラ５０では、この遊星機構は、電動モータ５４が正転しているときはその電動モータ５４の駆動力を沈胴駆動リング２に伝達し、電動モータ５４が逆転しているときはその電動モータ５４の駆動力をフイルム展開排出機構（後述する）に伝達している。このように、このカメラ５０は、１つの電動モータ５４が、レンズ鏡胴の繰出し、沈胴の駆動源に用いられるとともに、フイルム展開排出機構の駆動源としても用いられている。さらに、このカメラ５０は、回転移動筒３に形成されているカム溝３ｃが、直進移動筒５を相互に繰出量の異なる第１の繰出位置Ｅおよび第２の繰出位置Ｆのいずれにも停止自在とするための２つの段３ｄを有しており、直進移動筒５のカムピン５ａが第１の繰出位置Ｅおよび第２の繰出位置Ｆのうちのいずれかの繰出位置で停止するかによって焦点調節が行なわれる。
【００４０】
図６は、電動モータの駆動力を、そのモータの回転方向に応じて、沈胴駆動リングおよびフイルム展開排出機構に伝達する駆動力伝達機構を示す図である。この図６は、遊星機構が電動モータの駆動力をレンズ鏡胴に伝達する側に切り替えられた状態を示している。  電動モータ５４にはモータギア１０１が取り付けられている。この電動モータ５４は、正転、逆転自在なモータであって、この図１に示す状態では矢印Ａ方向に回転しており（以下、電動モータ５４の矢印Ａ方向の回転を正転と呼ぶ）、その電動モータ５４の駆動力は、モータギア１０１から笠歯車１０２および笠歯車１０３を経由して遊星機構１０４に伝達される。遊星機構１０４を構成する太陽ギア１０４ａは、電動モータ５４の矢印Ａ方向の回転に伴って矢印ａ方向の回転力を受け、その回転力に応じて遊星ギア１０４ｂが係合ギア１０５側に回動してその係合ギア１０５と噛合する。したがって、遊星機構１０４に伝達された駆動力は、その遊星機構１０４を構成する太陽ギア１０４ａ、遊星ギア１０４ｂを経由して係合ギア１０５に伝達され、さらに減速ギア列１０６に伝達される。この減速ギア列１０６に伝達された駆動力は、２つの笠歯車１０７，１０８を経由して減速ギア列１０９に伝達され、さらに、係合ギア１１０に伝達される。この係合ギア１１０は、沈胴駆動リング２の周縁部に形成された駆動ギア２ａと噛合しており、その係合ギア１１０に伝達された駆動力は駆動ギア２ａに伝達され、沈胴駆動リング２が回転する。また、この沈胴駆動リング２が回転すると、前述したように、回転移動筒３および直進移動筒５が繰り出され、同一方向にさらに回転すると再び沈胴する。
【００４１】
尚、ギアの歯の凹凸は、係合ギア１１０と、沈胴駆動リング２の周縁部の駆動ギア２ａの一部分のみ明示的に示されているが、これは図示の都合上そうしたのであり、他のギア、および沈胴駆動リング２の周縁部の駆動ギア２ａの他の部分についても同様のギアの歯の凹凸が形成されている。
【００４２】
ここで、沈胴駆動リング２は、本発明にいう回転伝達部材の一例に相当し、この沈胴駆動リング２に近接した位置には、その沈胴駆動リング２の周縁部に形成された駆動ギア２ａに係合離脱自在に係合して、その沈胴駆動リング２の回転、すなわちレンズ鏡胴の移動を阻止する係止ロック機構５６が配備されている。この係止ロック機構５６は、電磁マグネット５７、駆動軸５８、係止ロックレバー５９、および引っ張りバネ６０によって構成されている。
【００４３】
電磁マグネット５７は、通電時に駆動軸５８を内部に引き込む方向に吸引し、非通電時には、その駆動軸５８が自由に動くようにその動きを開放する。
【００４４】
駆動軸５８は、その胴体部が電磁マグネット５７の内部に挿入されており、先端のフォーク部５８ａのところで、係止ロックレバー５９が、支軸５８ｂによって回動自在に連結されている。
【００４５】
係止ロックレバー５９は、支軸５９ａによってカメラ本体に回動自在に軸支されており、またその先端には、沈胴駆動リング２の周縁部に設けられた駆動ギア２ａに係合可能なロック爪５９ｂが形成され、支軸５９ａを挟んだ後端部には引っ張りバネ６０が係止しており、この係止ロックバー５９は、反時計方向、すなわちロック爪５９ｂが駆動ギア２ａに係合する方向にバネ付勢されている。
【００４６】
図６は、電磁マグネット５７に通電された状態を示しており、このとき、駆動軸５８は、電磁マグネット５７への通電により引張りバネ６０によるバネ付勢に抗して電磁マグネット５７に吸引され、係止ロックレバー５９が時計方向に回動し、ロック爪５９ｂと駆動ギア２ａとの係合が外れた状態にある。
【００４７】
この時は、電動モータ５４は正転方向に回転することが可能であって、その正転により沈胴駆動リング２が回転し、レンズ鏡胴が繰り出され、あるいは沈胴する。
【００４８】
図７は、図６と同様に、電動モータの駆動力を、沈胴駆動リングおよびフイルム展開排出機構に伝達する駆動力伝達機構を示す図であり、この図７は、電動モータが正転後の停止状態にある場合を示している。
【００４９】
このとき、係止ロック機構５６を構成する電磁マグネット５７は通電が断たれた状態にあり、したがって係止ロックレバー５９は引っ張りバネ６０の付勢力により反時計方向に付勢され、その先端のロック爪５９ｂが沈胴駆動リング２の周縁部の駆動ギア２ａに係合した状態にある。
【００５０】
図８は、遊星機構が、モータの駆動力をフイルムを送り出す展開ローラに伝達する側に切り替えられた状態を示す図である。
【００５１】
この図８では、電動モータ５４は、矢印Ｂ方向に回転しており（以下、電動モータ５４の矢印Ｂ方向の回転を逆転と呼ぶ）、電動モータ５４の駆動力は、その電動モータ５４が正転した場合（図６参照）と同様に、モータギア１０１から笠歯車１０２，１０３を経由して遊星機構１０４に伝達される。駆動力が遊星ギア１０４に伝達されるとその遊星ギア１０４を構成する太陽ギア１０４ａが矢印ｂ方向への回転力を受け、遊星ギア１０４ｂが係合ギア１１１側に回動してその係合ギア１１１と噛合する。したがってその遊星機構１０４に伝達された駆動力は、その遊星機構１０４を構成する太陽ギア１０４ａ、遊星ギア１０４ｂ、さらに係合ギア１１１を経由して、その係合ギア１１１に噛合する展開ローラ駆動ギア１１３に伝達される。この展開ローラ駆動ギア１１３は支軸１１２に取り付けられ、さらにこの支軸１１２には駆動側展開ローラ１１４が取り付けられており、その展開ローラ駆動ギア１１３に駆動力が伝達されると、その駆動側展開ローラ１１４が回転する。また、この支軸１１２の、展開ローラ駆動ギア１１３と駆動側展開ローラ１１４との間には、係合ギア１１５が取り付けられており、この係合ギア１１５は、もう１つの係合ギア１１６と噛合している。この係合ギア１１６は、駆動側展開ローラ１１４と対向して配置された従動側展開ローラ１１７に取り付けられている。従って、係合ギア１１１に電動モータ５４の駆動力が伝達されると、その駆動力は駆動側展開ローラ１１４だけでなく、係合ギア１１５，１１６を経由して従動側展開ローラ１１７にも伝達される。また、展開ローラ駆動ギア１１３と噛合する係合ギア１１１は、クロー駆動レバープレート１１８につながるギアトレイン（図示せず）と噛合している。従って、この図８に示すように、遊星機構１０４が係合ギア１１１に電動モータ５４の駆動力を伝達する場合、その係合ギア１１１に伝達された電動モータ５４の駆動力は、駆動側展開ローラ１１４および従動側展開ローラ１１７だけでなく、クロー駆動レバープレート１１８にも伝達される。そのクロー駆動レバープレート１１８に駆動力が伝達されると、そのクロー駆動レバープレート１１８は一旦上昇して下降し、その上昇に伴って、図示しないフイルムカートリッジ内の、露光済の最上層のフイルムが押し上げられ、そのフイルムの上端が駆動側展開ローラ１１４と従動側展開ローラ１１７との間に入り込む。そのフイルムの上端部には現像液が充填された部分があり、駆動側展開ローラ１１４および従動側展開ローラ１１７の回転により、フイルムがそれらのローラ１１４，１１７に挟まれてその現像液が充填された部分が破れ、これらのローラ１１４，１１７がさらに回転することにより現像液がフイルム内に展開されながらフイルムがカメラ外部に排出される。
【００５２】
電動モータ５４が逆転している間、および逆転後正転せずに停止している間も、電磁マグネット５７は通電が断たれた状態にあり、したがってロック爪５９ｂは沈胴駆動リング２の周縁部の駆動ギア２ａに係合した状態にある。
【００５３】
ここで、図６〜図８に示されている係止ロック機構５６が備えられていない場合、図７に示す状態、すなわち遊星機構１０４がレンズ鏡胴駆動機構を構成する係合ギア１０５と係合し、かつ電動モータ５４が停止した状態において、レンズ鏡胴を構成する回転移動筒３（図３参照）が逆回転方向に力を受けると、その力がレンズ鏡胴駆動機構を経由して遊星機構１０４にまで伝えられ、その逆回転はギアのバックラッシュの関係から遊びを持っている方向であるため電動モータ５４の回転を伴わずに遊星機構もある程度逆方向に回転し、係合ギア１０５と遊星ギア１０４ｂとの係合が外れ、回転移動筒３に手指が触れただけでレンズ鏡胴の繰出し位置が変化して、例えば図４に示す繰出位置Ｅから繰出位置Ｆ、あるいは繰出状態と沈胴状態との中間の状態に動いてしまうおそれがあり、そのまま撮影を行なうとピントのあわないボケた写真となってしまうおそれがある。図８に示すように電動モータ５４が逆転することにより遊星機構１０４とレンズ駆動機構との係合が外れている間も同様である。
【００５４】
これに対し、本実施形態では、図６〜図８に示す係止ロック機構５６を備えたため、レンズ鏡胴の回転移動筒３に不用意に回転方向の力が加わっても、その回転は阻止され、レンズ鏡胴の繰出し位置の不用意な変化が防止される。
【００５５】
尚、上記実施形態では、係止ロック機構５６は、レンズ鏡胴を構成する部材である沈胴駆動リング２と係合するように構成されている。この係止ロック機構５６は、このように、レンズ鏡胴を構成する部材と係合するように配置してもよいが、電動モータ５４の駆動力を沈胴駆動リング２に伝達する前のレンズ鏡胴駆動機構に係合するように配置してもよい。具体的には遊星機構１０４の遊星ギア１０４ｂと係合する係合ギア１０５から沈胴駆動リング２と係合する係合ギア１１０の間のいずれかのギアと係合するように係止ロック機構を配置してもよい。
【００５６】
図９は、本実施形態のカメラの回路ブロック図である。
【００５７】
内蔵電池２００からの電力は直接にドライバＩＣ２０１に供給されるとともに、レギュレータ２０２により安定化されてＣＰＵ２０３に供給される。レギュレータ２０２の出力電圧はリセット回路２０４でモニタされる。このリセット回路２０４は、レギュレータ２０２の出力電圧がＣＰＵ２０３が正常に動作することのできる最低電圧まで低下すると、このカメラの作動の暴走を防ぐためＣＰＵ２０３の動作を停止させるためのものである。  ＣＰＵ２０３には、そのＣＰＵ２０３で実行される各種プログラムやデータが格納されたＥＥＰＲＯＭ２０５、内蔵電池２００の残存容量をモニタするためのバッテリチェック回路２０６、ファインダ内に各種表示を行なうためのファインダ内液晶表示板（ＬＣＤ）２０７、表示用ＬＥＤ２０８、前述した遠近切替用操作スイッチ等を含む各種の操作スイッチ２０９、ストロボ回路２１０、クロー駆動レバープレート１１８（図６，図７参照）の動きを検知する展開位置検出スイッチ２１１、および沈胴駆動リング２の回転位置（前部筒５および後部筒３の状態やピント位置）を検出するための鏡胴位置検出スイッチ２１２が接続されており、ＣＰＵ２０３は、その接続先に応じ、指示や情報を受け取り、あるいは制御を行なっている。またＣＰＵ２０３には、そのＣＰＵ２０３が動作するのに必要となる基本クロックを生成するための水晶発振子２１３も接続されている。さらにＣＰＵ２０３には、前述したＩＣドライバ２０１も接続されており、ドライバＩＣ２０１はＣＰＵ２０３の指示を受けて２つの電動モータ５４，５５を駆動する。さらに、ドライバＩＣ２０１には、シャッタが開き始めたタイミングを捉えるシャッタセンサ２１４、被写界の明るさを捉えるＣｄＳセンサ２１５、係止ロック機構（図６〜図８参照）を構成する電磁マグネット５７も接続されている。
【００５８】
尚、図示の煩雑さを避けるため、図８に示した各種要素のうち、前掲の各図には図示省略されているものもある。
【００５９】
ここで、ドライバＩＣ２０１は、シャッタ開閉用の電動モータ５５を駆動するためのシャッタ駆動ドライバを内蔵し、このシャッタ駆動ドライバは、ＣＰＵ２０３からの指令を受けてシャッタ開閉用の電動モータ５５を駆動し、シャッタセンサ２１４により検出されたシャッタ開のタイミングから、ＣｄＳセンサ２１５で検知された被写界の明るさの情報に応じたタイミングまでシャッタを開いて閉じる。こうすることにより、フイルムパック内の最上層のフイルムに、撮影レンズを経由した光による露光が行なわれる。
【００６０】
また、ドライバＩＣ２０１には、図６〜図８に示すフイルム展開排出機構、および沈胴駆動リング２を駆動する電動モータ５４を駆動するための展開／鏡胴駆動ドライバが内蔵されている。この展開／鏡胴駆動ドライバは、ＣＰＵ２０３の指示に応じて、このＣＰＵ２０３からの指示が沈胴駆動リング２を駆動する指示であったときは、電動モータ５４に対し、その電動モータ５４を正転させる正極性の電流を供給し、ＣＰＵ２０３からの指示がフイルムの展開、排出の指示であったときは、電動モータ５４に対し、その電動モータ５４を逆転させる逆極性の電流を供給する。
【００６１】
さらに、ドライバＩＣ２０１には、図６〜図８に示す係止ロック機構５６を構成する電磁マグネット５７を駆動するための係止ロック用マグネット駆動ドライバが内蔵されている。この係止ロック用マグネット駆動ドライバは、ＣＰＵ２０３からの指示に応じて電磁マグネット５７に通電し、およびその通電を解除する。
【００６２】
ここで、レンズ鏡胴が沈胴され電源がオフになっている状態において、電源がオンになると、先ず、係止ロック機構５６の電磁マグネット５７に通電され、ロック爪５９ｂの、沈胴駆動リング２との係合が外れ、その後、沈胴駆動リング２を駆動する電動モータ５４が正転して沈胴駆動リング２が駆動され、前述の機構に従ってレンズ鏡胴が繰り出される。レンズ鏡胴が所定位置まで繰り出されると電動モータ５４が停止し、次いで電磁マグネット５７への通電が断たれてロック爪５９ｂが沈胴駆動リング２と係合し、これによりレンズ鏡胴の繰出し位置の不用意な変化が防止される。
【００６３】
次に、シャッタが開閉して写真撮影が行なわれ、電動モータ５４が逆回転して遊星機構１０４が図８に示すようにフイルム展開排出機構側に切り替わり、それに引き続いてフイルムの展開、排出が行なわれるが、このときには電磁マグネット５７は通電が断たれた状態に保たれ、沈胴駆動リング２はその回転が阻止された状態に保たれ、レンズ鏡胴の繰出し位置の不用意な変化は引き続き防止された状態に保たれる。
【００６４】
ピント位置の遠近を切り替える図示しない遠近切替用スイッチが操作されたときは、ピント位置切り替えのために沈胴駆動リング２を回転させる必要があり、また電源がオフにされたときは電源が実際にオフになる前にレンズ鏡胴を沈胴させる必要があり、これらの場合は、電動モータ５４の回転（正転）に先立って先ず電磁マグネット５７へ通電され沈胴駆動リング２へのロック爪５９ｂの係合が外れて沈胴駆動リング２が回転可能な状態となり、その後電動モータ５４が正転して沈胴駆動リング２が回転し、所定位置まで回転すると電動モータ５４が停止し、電磁マグネット５７への通電が断たれる。
【００６５】
このようなシーケンスによって、沈胴駆動リング２の必要な回転を妨げることなく、外力によってレンズ鏡胴が動かされピント位置が不用意にずれてしまうことが防止される。  尚、上記実施形態は、二段沈胴式のレンズ鏡胴を備えたカメラの例であるが、本発明は、繰出し、沈胴に伴って回転する、外部から触れられるおそれのある部材を持った沈胴式のレンズ鏡胴を備えたカメラであれば、上記
【００６６】
の実施形態と同様に適用することができる。
【００６７】
【発明の効果】
以上説明したように、本発明によれば、レンズ鏡胴に手指が触れてもレンズ鏡胴の繰出し位置が不適切な位置にずれてしまうことが防止され、ピントの合った良質の写真が得られる。
【図面の簡単な説明】
【図１】本発明の第１実施形態のカメラを示す正面図である。
【図２】レンズ鏡胴を構成する回転移動筒および直進移動筒が沈胴状態にあるときの、そのレンズ鏡胴の光軸方向の縦断面図である。
【図３】レンズ鏡胴を構成する回転移動筒および直進移動筒が繰出状態にあるときの、そのレンズ鏡胴の光軸方向の縦断面図である。
【図４】固定カム筒および回転移動筒それぞれの内壁面を光軸方向に垂直な方向に展開して示した図である。
【図５】沈胴駆動リングおよび鏡胴位置検出スイッチの正面図である。
【図６】遊星機構が電動モータの駆動力をレンズ鏡胴に伝達する側に切り替えられた状態を示す図である。
【図７】遊星機構が電動モータの駆動力をレンズ鏡胴に伝達する側に切り替えられた状態を示す図である。
【図８】遊星機構が電動モータの駆動力をフイルム送出しローラに伝達する側に切り替えられた状態を示す図である。
【図９】本実施形態のカメラの回路ブロック図である。
【符号の説明】
１  固定カム筒
１ａ，３ｃ，１３ｃ  カム溝
１ｂ  キー溝
１ｃ，３ｅ  平坦部
２，１３  沈胴駆動リング
２ａ  駆動ギア
２ｂ  駆動溝
２ｃ，１３ｂ  カム面
２ｄ  外壁前側面
３  回転移動筒
３ａ  連結ピン
３ｂ，５ａ，１４ａ  カムピン
１ｄ，３ｄ，１３ｄ  ２つの段
４  直進キーリング
４ａ  キーピン
４ｂ，１２ｃ  直進ガイド溝
５  直進移動筒
６  レンズシャッター組
７  レンズカバー組
８  レンズカバー開閉部材
８ａ  ガイドピン
９  飾銘板
９ａ  開口部
１０  鏡胴カバー
５０  カメラ
５１  カメラ本体
５２  レンズ鏡胴
５３  シャッタボタン
５４，５５  電動モータ
５６  係止ロック機構
５７  電磁マグネット
５８  駆動軸
５８ａ  フォーク部
５８ｂ  支軸
５９  係止ロックレバー
５９ａ  支軸
５９ｂ  ロック爪
６０  引っ張りバネ
１０４  遊星機構
１０５  係合ギア
１０６  減速ギア列
１１４  駆動側展開ローラ
１１７  従動側展開ローラ
【図１】
0003874945.tif 000002
【図２】
0003874945.tif 000003
【図３】
0003874945.tif 000004
【図４】
0003874945.tif 000005
【図５】
0003874945.tif 000006
【図６】
0003874945.tif 000007
【図７】
0003874945.tif 000008
【図８】
0003874945.tif 000009
【図９】
0003874945.tif 000010